(57)【要約】      （修正有）【課題】低コストのＬＥＤ照明器具アセンブリであって、効率的にＬＥＤ基板からの熱を放散して、ジャンクション温度を改善する（動作温度を低くする）ことにより、ＬＥＤ光源の耐用寿命を延長させるＬＥＤ照明器具アセンブリを提供する。【解決手段】屋外ＬＥＤ照明器具１００は、ハウジング１０８と、ハウジングに接続され、１以上のＬＥＤ光源１１２，１１４を備える発光ダイオード（ＬＥＤ）基板１１０と、ＬＥＤ基板の正面に動作可能に接続され、１以上のＬＥＤ光源から発せられる光を通すことができる開口部を有する熱伝導性リフレクタ１１８とを備える。該リフレクタは、内側反射表面１２１及び外側表面１２３を備える。内側表面が、ＬＥＤ光源からの光を照明エリアに向かって反射し、外側表面が、ＬＥＤ基板からの熱を周囲の空気に放射する。【選択図】図１
2017188449.tif 000002
【特許請求の範囲】
【請求項１】
屋外照明器具であって、
ハウジングと、
ハウジングに接続され、１以上のＬＥＤ光源を備える発光ダイオード（ＬＥＤ）基板と、
ＬＥＤ基板の正面に動作可能に接続され、１以上のＬＥＤ光源から発せられる光を通すことができる開口部を有する熱伝導性リフレクタであって、内側反射表面及び外側表面を備え、内側表面が、ＬＥＤ光源からの光を照明エリアに向かって反射し、外側表面が、ＬＥＤ基板からの熱を周囲の空気に放射する、熱伝導性リフレクタと
を備える屋外照明器具。
【請求項２】
ＬＥＤ基板の正面及び熱伝導性リフレクタに動作可能に接続されるサーマルインターフェースを更に備え、サーマルインターフェースが、１以上のＬＥＤ光源から発せられる光を通すことができる開口部を備え、熱をＬＥＤ基板から放射するように機能する、請求項１に記載の屋外照明器具。
【請求項３】
サーマルインターフェースが、熱伝導性の熱接着材料、ゴム材料及び金属材料の１種以上又は熱複合材料を含む、請求項２に記載の屋外照明器具。
【請求項４】
熱伝導性リフレクタの外側表面に、熱放射を増大させるため暗色塗料が塗工されている、請求項１に記載の屋外照明器具。
【請求項５】
熱伝導性リフレクタをＬＥＤ基板に接続する１以上の締結具を更に備える、請求項１に記載の屋外照明器具。
【請求項６】
１以上の締結具が、金属ねじ、非金属ねじ及び熱接着剤の１種以上を備える、請求項５に記載の屋外照明器具。
【請求項７】
熱伝導性リフレクタが、シート金属又は熱伝導性ポリマー材料の１種以上を含む、請求項１に記載の屋外照明器具。
【請求項８】
車道照明器具であって、
ハウジングと、
ハウジングに接続され、１以上のＬＥＤ光源を備える発光ダイオード（ＬＥＤ）基板と、
ＬＥＤ基板に動作可能に接続され、細長い中央ピース、第１の細長い側部ピース、第２の細長い側部ピース、第１の端部ピース、及び第２の端部ピースを備える熱伝導性リフレクタアセンブリと
を備えており、熱伝導性リフレクタアセンブリの各ピースが、反射内側表面を有し、細長い中央ピースが、１以上のＬＥＤ光源から発せられる光を通すことができる開口部を備え、熱伝導性リフレクタアセンブリピースが、熱をＬＥＤ基板からハウジングに放射する外側表面を有し、反射内側表面によって画成される反射チャンバ内への熱対流を向上させることによりＬＥＤ基板から周囲の空気への伝熱を増加させる、車道照明器具。
【請求項９】
ＬＥＤ基板と熱伝導性リフレクタアセンブリとの間に動作可能に接続され、熱をＬＥＤ基板から放射するサーマルインターフェースを更に備え、サーマルインターフェースが、１以上のＬＥＤ光源から発せられる光を通すことができる開口部を備える、請求項８に記載の車道照明器具。
【請求項１０】
熱伝導性リフレクタアセンブリピースの外側表面が、ＬＥＤ基板からの放熱を増加させる特殊な熱的材料を更に含む、請求項８に記載の車道照明器具。
【請求項１１】
特殊な熱的材料が、暗色熱的塗料を含む、請求項１０に記載の車道照明器具。
【請求項１２】
熱伝導性リフレクタアセンブリが、シート金属又は熱伝導性ポリマー材料の１種以上を含む、請求項８に記載の車道照明器具。
【発明の詳細な説明】
【技術分野】
【０００１】
本開示は、一般に、照明器具用の放熱リフレクタに関する。より詳細には、本主題は、車道発光ダイオード（ＬＥＤ）照明器具用の放熱リフレクタ設計に関する。
【背景技術】
【０００２】
屋外用照明器具は、通常、光源、リフレクタ、シールド、及びレンズを含む。したがって、このような屋外照明器具についての光源からの光の配光パターンは、リフレクタ、レンズ、及びシールドによって規定される。
【０００３】
多くの幹線道路及び車道のライトは、歴史的には、白熱光源を使用しており、最近では、適切な光量を与えることができる高輝度放電（ＨＩＤ）ランプを使用している。しかし、ＨＩＤライティングは、頻繁なランプメンテナンス及び／又は低い色性能を含む、複数の欠点を有する。更に、多くの光学システムは、設計が不十分な光リフレクタを用いているので、光源から発せられる光の制御は不良となる。例えば、街灯は、車道に沿って、主に３つの異なるゾーンに反射光を与えるように構成されている。第１のゾーンは、当業者にナディア（Ｎａｄｉｒ）と称されることがあり、このナディアは、通常、街灯の真下のエリアを含む。幹線道路（夜に車道に沿って走行する車両がある）に隣接して配置されている街灯では、第２のゾーンは、走行車両の方向のエリアを含む（したがって、このエリアは、走行車両の前方にあり、車両の運転者の目から離れる方向に照らされる）。第３のゾーンは、走行車両の方向と反対方向に（運転者に向かって）光る、車道照明器具からの光を含み、これは、極めて重要な向きであり得る。特に、走行車両に向かう（運転者の目に入る）光が、運転者の気を散らし、又は「目を見えなく」する、過度にまぶしい光を生じさせないように、確実に、十分に低い照度となるように注意しなければならない。これらの３つのゾーン又はエリアは、一般に、３つの車道反射ライティングゾーンを表す。
【０００４】
また、設計が不十分な車道照明器具は、光を必要としない車道付近（歩道の可能性がある）のエリアを照らすことにより、光を無駄にすることがある。また、このような車道照明器具からの制御が不十分な光は、侵害光（ｔｒｅｓｐａｓｓ  ｌｉｇｈｔ）及び／又は光害（例えば、私邸の窓に当たる迷光）の一因となることがある。このことは、夜間環境の維持を妨げ得る。多くの場合、制御の不十分な光は、光学システムのリフレクタ設計に関係する。
【０００５】
車道照明器具は、１以上の部品のリフレクタ設計を含むことがある。例えば、２部品の設計は、通常、左リフレクタ及び右リフレクタを含むのに対し、３ピースのリフレクタ設計は、２つの側部リフレクタ及び中央部品を含み得る。更に、多くのリフレクタは、物理蒸着プロセス及び／又は化学蒸着プロセスを含み得る、反射材コーティングプロセスを用いて製造される。このようなコーティングプロセスの多くでは、リフレクタの特定のエリアを「シェーディング（ｓｈａｄｅ）」又はブロックし得るコーティングプロセス中に、リフレクタ部品を球状に回転させる。
【０００６】
多くの地方自治体が、現在、発光ダイオード（ＬＥＤ）を光源として用いるＬＥＤ街灯を設置している。このようなＬＥＤ街灯は、極めて長い寿命を有し、エネルギー効率が高く、水銀のような毒性化学物質を含有しない。ＬＥＤ街灯は寿命が長いので、ＬＥＤ街灯のメンテナンスコストは削減される。一部のＬＥＤ街灯の設計では、ＬＥＤ灯クラスタをパネルに封止した後、ヒートシンクを有するＬＥＤパネルに取り付けて、一体化照明器具とし、異なる設計では、様々な種類のＬＥＤを組み込む。例えば、ハイパワーＬＥＤ（ＨＰ−ＬＥＤ）又は高出力ＬＥＤ（ＨＯ−ＬＥＤ）が使用されており、このようなＬＥＤ光源は、数百ミリアンペア（ｍＡ）〜１アンペアを超える範囲の電流で動くのに対し、他のＬＥＤ光源は、数十ｍＡで動く。実際に、一部のＨＰ−ＬＥＤは、千ルーメンを超える光を発し、ＬＥＤパワー密度は最大３００Ｗ／ｃｍ2に達する。ＨＰ−ＬＥＤ（又はＨＯ−ＬＥＤ）を用いる場合、過熱が懸念されるので、ＬＥＤ基板の背面で放熱させるために、ＨＰ−ＬＥＤを通常、ヒートシンクに取り付ける。ＨＰ−ＬＥＤからの熱が除去されない場合、装置は数秒以内に故障するであろう。
【発明の概要】
【０００７】
したがって、低コストのＬＥＤ照明器具アセンブリであって、効率的にＬＥＤ基板からの熱を放散して、ジャンクション温度を改善する（動作温度を低くする）ことにより、ＬＥＤ光源の耐用寿命を延長させるＬＥＤ照明器具アセンブリを提供することが有利であろう。
【０００８】
複数の実施形態の特徴及び利点、並びにこれらを達成する方法は、下記の詳細な説明を添付図面と共に参照することで、より容易に明らかになるであろう。添付図面は、例示的な実施形態を図示する（必ずしも縮尺通りに描かれてはいない）。
【図面の簡単な説明】
【０００９】
【図１】本開示の実施形態による屋外照明器具の切欠側面図である。
【図２Ａ】本開示の一部の実施形態による屋外ＬＥＤ照明器具の分解底部斜視図である。
【図２Ｂ】図２ＡのＬＥＤ照明器具の非分解底部斜視図である。
【図３】本開示の実施形態による、図２Ａ及び２Ｂに示されるＬＥＤ照明器具の完全に組み立てたＬＥＤ照明器具の斜視上面図である。
【発明を実施するための形態】
【００１０】
ここで、例示的な実施形態について詳細に言及していく。実施形態のうちの１以上は、図面に図示されている。各例は、説明のためにのみ提供されており、したがって、本発明を限定しない。実際に、本発明の趣旨及び／又は範囲から逸脱することなく、様々な修正及び／又は変更が可能であることが、当業者に明らかであろう。例えば、多くの場合、一実施形態の一部として図示され、又は説明される特徴を、別の実施形態で用いて、更なる実施形態を得ることができる。したがって、このような修正及び変更は、添付の特許請求の範囲及びその等価物の範囲内に入るとして、本開示の対象とすることが意図される。
【００１１】
本明細書で説明される実施形態は、戸外エリア及び／又は車道などのエリアを照らすための発光ダイオード（ＬＥＤ）照明器具又はＬＥＤ照明器具に関する。より詳細には、実施形態は、ＬＥＤ光源からの光を照明エリアに向かって反射すると共に、同時に、熱をＬＥＤ光源から放散するように構成され、機能するシート金属リフレクタを含むＬＥＤ照明器具アセンブリに関する。したがって、開示される実施形態は、ＬＥＤ光源からの放熱を改善すると共に、製品の寿命及び有効性を増加させる、屋外ＬＥＤ照明器具用の低コストかつ可撓性照明器具リフレクタをどのように提供するかという技術的課題を解決する。
【００１２】
図１は、本明細書で開示される一部の実施形態による屋外ＬＥＤ照明器具１００の切欠側面図である。ＬＥＤ照明器具１００は、支柱１０２、ベース１０４、及びＬＥＤ照明器具アセンブリ１０６を含む。この場合、ＬＥＤ照明器具１００は、照明器具アセンブリの下の地面の照明エリア「Ａ」に光を与えるように設計される。照明器具アセンブリ１０６は、ハウジング１０８と、ハウジング１０８に接続され、かつ／又は他の方法で取り付けられる（すなわちハウジング１０８内に収容される）発光ダイオード（ＬＥＤ）基板１１０とを含む。
【００１３】
一部の実施形態では、ＬＥＤ基板１１０は、複数のＬＥＤ光源を含み、２つのこのようなＬＥＤ光源１１２、１１４が示されている。したがって、２つよりも多い又は少ないＬＥＤ光源を用いてもよいことが理解されるべきである。このようなＬＥＤ光源は、例えば、ハイパワーＬＥＤ（ＨＰ−ＬＥＤ）又は高出力ＬＥＤ（ＨＯ−ＬＥＤ）であってもよく、このような場合には、放熱のために、ＬＥＤ基板１１０の背面は、ヒートシンク（図示せず）に取り付けられてもよい。一部の実施形態では、ハウジング１０８は、ＬＥＤ基板１１０の背面に、放熱機能を提供し得る。一部の実施では、照明器具アセンブリ１０６は、（ＬＥＤ光源１１２、１１４を含む）ＬＥＤ基板１１０の正面に動作可能に接続されるサーマルインターフェース１１６も含む。サーマルインターフェース１１６は、発せられる光が、サーマルインターフェース１１６を通過できるように、ＬＥＤ光源１１２、１１４が入るための１以上の開口部（図示せず）を有する。一部の実施形態では、ＬＥＤ光源１１２、１１４は、サーマルインターフェースの１以上の開口部を通じて、物理的に差し込まれる。
【００１４】
また、照明器具アセンブリ１０６は、熱伝導性金属材料で製造されるリフレクタ１１８も含み、この熱伝導性金属材料は、一部の実施形態ではアルミニウムである。一部の実施では、リフレクタ１１８は、熱伝導性ポリマー材料で製造される。リフレクタ１１８は、示されるように、サーマルインターフェース１１６に動作可能に接続され、ＬＥＤ光源１１２、１１４から発せられる光をＬＥＤ照明器具１００の下の照明エリア「Ａ」の方へ誘導するための内部反射壁１２１を有する。また、シート金属リフレクタ１１８は、ＬＥＤ光源１１２、１１４から発せられる光を通すことができる開口部１１９も含む。一部の実施形態では、（図１に示されるように）ＬＥＤ光源１１２、１１４は、開口部１１９を通じて、反射チャンバ１２０内へ物理的に差し込まれる。一部の実施形態では、反射チャンバ１２０は、シート金属リフレクタ１１８の反射内側壁１２１、及び透明カバー１２２によって画成され、この透明カバー１２２は、シート金属リフレクタ１１８の先端部を覆って配置されていてもよい。
【００１５】
再度図１を参照すると、サーマルインターフェース１１６は、熱伝導性の熱ゴム材料、熱接着剤、金属材料、熱複合材料その他の放熱材料で製造されていてもよい。更に、シート金属リフレクタ１１８の外側表面１２３は、熱をＬＥＤ光源１１２、１１４からＬＥＤ照明器具１００の周囲の空気に放射するように機能することが理解されるべきである。一部の実施形態では、外側表面１２３には、熱放射を増大させるため暗色塗料が塗工されている。したがって、シート金属リフレクタ１１８の外側表面１２３に、放熱特性を最大化するために、例えば、黒色、暗灰色、又は暗青色の塗料を塗工してもよい。
【００１６】
一部の実施形態では、シート金属リフレクタ１１８をサーマルインターフェース１１６に接続するために、熱伝導性締結具（図示せず）を使用してもよい。他の実施形態では、熱伝導性締結具は、シート金属リフレクタ１１８を、サーマルインターフェース１１６、ＬＥＤ基板１１０、及び／又はハウジング１０８のうちのいずれか又は全てに接続するように構成されてもよい。例えば、熱伝導性金属又は他の熱的材料で構成されるねじを用いてもよい。一部の他の実施形態では、サーマルインターフェース１１６は、熱接着剤で製造されていてもよく、熱を放散するだけでなく、リフレクタ１１８をＬＥＤ基板１１０に取り付けるように機能してもよい。
【００１７】
図２Ａは、一部の他の実施形態による屋外ＬＥＤ照明器具２００の分解底部斜視図である。屋外ＬＥＤ照明器具アセンブリ２０４に接続される支柱２０２の一部が示されている。ＬＥＤ照明器具アセンブリ２０４は、ハウジング２０６、ハウジング２０６に接続される発光ダイオード（ＬＥＤ）基板２０８、ＬＥＤ基板２０８に接続されるサーマルインターフェース２１０、及びサーマルインターフェース２１０に接続されるシート金属リフレクタアセンブリ２１２を含む。
【００１８】
一部の実施形態では、シート金属リフレクタアセンブリ２１２は、細長い中央ピース２１４、第１の細長い側部ピース２１６、第２の細長い側部ピース２１８、第１の端部ピース２２０、及び第２の端部ピース２２２を含む。第１の細長い側部ピース２１６及び第２の細長い側部ピース２１８は、互いの鏡像であってもよく、第１の端部ピース２２０及び第２の端部ピース２２２も、互いの鏡像であってもよいが、一部の実施では、これは当てはまらない。特に、第１及び第２の細長い側部ピース２１６、２１８、並びに第１及び第２の端部ピース２２０、２２２は、屋外ＬＥＤ照明器具又はＬＥＤ照明器具２００の特定の用途（例えば、車道ライティング）のために必要とされる配光に応じて、異なる形状を有してもよい。シート金属リフレクタアセンブリピース２１４、２１６、２１８、２２０、２２２の各々は、反射内側表面を有する。更に、第１及び第２の細長い側部ピース２１６、２１８、並びに第１及び第２の端部ピース２２０、２２２は、熱をＬＥＤ基板から放射し、この熱放射の一部は、ＬＥＤ基板２０８からサーマルインターフェース２１０を通過してシート金属リフレクタアセンブリ２１２に達する。更に、一部の実施では、シート金属リフレクタアセンブリピース２１６、２１８、２２０、２２２の外側表面は、これらの外側表面からの放熱又は熱放射を増加させるために、特殊な熱的材料で塗工される。例えば、黒、暗青色、暗灰色等の熱的塗料材料などの暗色熱的塗料を、シート金属リフレクタアセンブリピース２１６、２１８、２２０、２２２の外側表面に塗工してもよい。
【００１９】
図２Ａに示されるように、一部の実施形態では、リフレクタアセンブリ２１２、サーマルインターフェース２１０、及びＬＥＤ基板２０８をハウジング２０６に接続するために、１以上の締結具２２４を用いてもよい。例えば、締結具２２４を、（図２Ａの点線で示されるように）リフレクタアセンブリ２１２、サーマルインターフェース２１０、及びＬＥＤ基板２０８の各々のスロット又は孔又は開口を通じて、ハウジング２０６に設けられている相手方レセプタクル２２６に取り付けてもよい。一部の実施では、締結具は、金属ねじなど、熱伝導性材料で製造される。しかし、他の実施では、他の種類の締結具を用いてもよい。また、一部の実施では、サーマルインターフェース２１０は、リフレクタアセンブリ２１２をＬＥＤ基板２０８に取り付け、又は接合する熱接着剤を含んでもよく、又は熱接着剤で製造されてもよいことも理解されるべきである。
【００２０】
再度図２Ａを参照すると、一部の実施では、ＬＥＤ基板２０８は、複数のＬＥＤ光源２２８Ａ、２２８Ｂ、２２８Ｃ、２２８Ｄを含み（このような各ＬＥＤ光源は、１つのＬＥＤ又はＬＥＤの群を含んでもよい）、このような場合には、サーマルインターフェース２１０及びシート金属リフレクタアセンブリ２１２は、ＬＥＤ光源２２８Ａ、２２８Ｂ、２２８Ｃ、２２８Ｄから発せられる光が通過して光ることを許容するように、ＬＥＤ光源２２８Ａ、２２８Ｂ、２２８Ｃ、２２８Ｄの位置と並び、又は適合する開口部及び／又は孔及び／又は開口を含む。一部の実施形態では、孔及び／又は開口部及び／又は開口は、ＬＥＤ光源２２８Ａ、２２８Ｂ、２２８Ｃ、２２８Ｄが物理的にフィットすることを許容するようなサイズ及び位置であってもよい。例えば、細長い中央ピース２１４は、ＬＥＤ光源２２８Ｃ、２２８Ｄから各々発せられる光が通過して光ることを許容するための、１以上の中央開口部２３０及び側部開口部２３２を含む。
【００２１】
図２Ｂは、本明細書で開示される実施形態による図２ＡのＬＥＤ照明器具２５０の非分解底部斜視図である。支柱２０２は、屋外ＬＥＤ照明器具アセンブリに接続され、この屋外ＬＥＤ照明器具アセンブリは、発光ダイオード（ＬＥＤ）基板、サーマルインターフェース、及びハウジング２０６に接続されるシート金属リフレクタアセンブリ２１２を含む。特に、ＬＥＤ光源２２８Ｂ、２２８Ｃ、２２８Ｄを、シート金属リフレクタアセンブリ２１２の細長い中央ピース２１４及びサーマルインターフェース（図２Ｂには示されないが、図２Ａではアイテム２１０として示される）の孔又は開口から見ることができる。また、図２Ｂは、電気が供給されるときに、ＬＥＤ光源を明るくするための（バラストなどの）様々なＬＥＤライティング電子部品２５２の位置も示す。
【００２２】
図３は、一部の実施形態による、図２Ａ及び２Ｂに示されるＬＥＤ照明器具の完全に組み立てたＬＥＤ照明器具３００の斜視上面図である。特に、ポール又は支持ステーション２０２が、ＬＥＤ照明器具アセンブリのハウジング２０６に接続されている。また、ここで、ハウジング２０６は、ボトムカバープレート３０２及び透明カバー３０４も含む。一部の実施形態では、ボトムカバープレート３０２及び透明カバー３０４は、ハウジング２０６内に収容される電子パワー素子及び発光ダイオード（ＬＥＤ）基板２０８などの様々な電子素子及び／又は構成要素、サーマルインターフェース２１０、並びにシート金属リフレクタアセンブリ２１２を保護するために設けられる。
【００２３】
本明細書で開示されるＬＥＤ照明器具の実施形態は、（例えば、アルミニウムなどの金属で製造され得る）熱伝導性リフレクタアセンブリを、ＬＥＤ基板の正面（又はＬＥＤ光源側）に設けることにより、ＬＥＤ光源の放熱を向上させる。したがって、熱伝導性リフレクタアセンブリは、屋外ＬＥＤ照明器具製品の寿命及び有効性を増加させる。更に、熱伝導性リフレクタアセンブリのリフレクタピースの非反射側（外側）は、熱放射効果を増加させるために、（暗色熱的塗料などの特殊な材料を使用して）塗工されてもよい。更に、一部の実施形態では、冷却効果を更に向上させるために、熱伝導性材料が、熱伝導性リフレクタアセンブリとＬＥＤ基板の正面との間に追加される。熱的冷却シミュレーションにより、本明細書で説明される熱伝導性アセンブリ構成を含むＬＥＤ照明器具の実施形態は、ＬＥＤ照明器具の耐用寿命を約５千時間延長させることが示されている。したがって、開示される技術を用いることにより、より効率的でより長寿命のＬＥＤ照明器具を製造できる。更に、同様の性能を有し、小型ＬＥＤ照明器具の設計に関連する熱的制限を克服する、より小さな高出力（又は高照度）ＬＥＤ照明器具を製造できる。更なる利点としては、多くの異なる屋外使用用途のためのより軽量のＬＥＤ照明器具を提供できる可能性が挙げられる。これは、特定のシート金属リフレクタアセンブリの設計が可撓性であり、今日使用されている同等のリフレクタアセンブリよりも軽いという事実による。例えば、本明細書で説明されるシート金属リフレクタアセンブリの一部の実施形態を用いることにより、ＬＥＤ照明器具リフレクタの重量を、従来のリフレクタと比較して、５０％〜７０％減少させることが可能である。更に、本明細書で開示されるシート金属リフレクタアセンブリの実施形態を加工するために掛かる加工コストは、従来のＬＥＤ照明器具リフレクタを製造するための加工コストよりも安価である。
【００２４】
開示される実施形態は、（１以上のＬＥＤ光源を有する）ＬＥＤ基板からの放熱を改善して、製品の寿命を延ばし、有効性を改善する、屋外ＬＥＤ照明器具用の低コストかつ可撓性のシート金属リフレクタアセンブリをどのように提供するかという技術的課題を解決する。
【００２５】
上記の説明及び／又は添付図面は、本明細書で言及される製造プロセス又は方法のステップの一定の順序又はシークエンスを示唆するように意図されないことが理解されるべきである。したがって、開示されるプロセスを、実行可能な任意の順序で実施してもよく、この順序は、限定するものではないが、連続的として示される１以上のステップの同時実施を含む。
【００２６】
特定の例示的な実施形態に関連して、本発明を説明してきたが、添付の特許請求の範囲に明記される本発明の趣旨及び範囲から逸脱することなく、当業者に明らかな様々な変更、置換、修正及び／又は変化が、開示されるＬＥＤ照明器具の実施形態で可能であることが理解されるべきである。
【符号の説明】
【００２７】
１００  屋外ＬＥＤ照明器具
１０２  支柱
１０４  ベース
１０６  ＬＥＤ照明器具アセンブリ
１０８  ハウジング
１１０  発光ダイオード（ＬＥＤ）基板
１１２、１１４  ＬＥＤ光源
１１６  サーマルインターフェース
１１８  シート金属リフレクタ
１１９  開口部
１２０  反射チャンバ
１２１  反射内側壁、内部反射壁
１２２  透明カバー
１２３  外側表面
２００  屋外ＬＥＤ照明器具、ＬＥＤ照明器具
２０２  支柱ステーション
２０４  屋外ＬＥＤ照明器具アセンブリ
２０６  ハウジング
２０８  発光ダイオード（ＬＥＤ）基板
２１０  サーマルインターフェース
２１２  シート金属リフレクタアセンブリ
２１４  細長い中央ピース、シート金属リフレクタアセンブリピース
２１６  第１の細長い側部ピース、シート金属リフレクタアセンブリピース
２１８  第２の細長い側部ピース、シート金属リフレクタアセンブリピース
２２０  第１の端部ピース、シート金属リフレクタアセンブリピース
２２２  第２の端部ピース、シート金属リフレクタアセンブリピース
２２４  締結具
２２６  相手方レセプタクル
２２８Ａ、２２８Ｂ、２２８Ｃ、２２８Ｄ  ＬＥＤ光源
２３０  中央開口部
２３２  側部開口部
２５２  ＬＥＤライティング電子部品
３００  ＬＥＤ照明器具
３０２  ボトムカバープレート
３０４  透明カバー
【図１】
2017188449.tif 000003
【図２Ａ】
2017188449.tif 000004
【図２Ｂ】
2017188449.tif 000005
【図３】
2017188449.tif 000006
【外国語明細書】
2017188449000001.pdf